(57)【要約】【課題】映像情報を視聴するユーザの視聴状況を簡易に知るための技術を提供する。【解決手段】情報処理装置は、サーバから映像データを受信する受信部と、受信した映像データを再生して、表示部に映像を表示する再生部と、再生部が再生した映像データの映像名称及び再生部が再生した映像データの再生時間を示す再生時間情報をサーバに送信する送信部と、を備える。【選択図】図３
2010088044.tif 000002
【特許請求の範囲】
【請求項１】
サーバから映像データを受信する受信部と、
前記受信した映像データを再生して、表示部に映像を表示する再生部と、
前記再生部が再生した映像データの映像名称及び前記再生部が再生した映像データの再生時間を示す再生時間情報を前記サーバに送信する送信部と、を備える情報処理装置。
【請求項２】
前記送信部は、前記再生部が再生した映像データの再生範囲を示す再生範囲情報を前記サーバに送信する請求項１に記載の情報処理装置。
【請求項３】
自装置の識別情報を取得する識別情報取得部を、更に備え、
前記送信部は、前記識別情報を前記サーバに送信し、
前記受信部は、結果情報を前記サーバから受信し、
前記再生部は、前記受信した結果情報が前記映像データの再生を許可することを示す情報を含む場合、前記受信した映像データを再生する請求項１又は２に記載の情報処理装置。
【請求項４】
情報処理装置が、
サーバから映像データを受信する受信ステップと、
前記受信した映像データを再生して、表示部に映像を表示する再生ステップと、
前記再生ステップにより再生された映像データの映像名称及び前記再生ステップにより再生された映像データの再生時間を示す再生時間情報を前記サーバに送信する送信ステップと、を実行する制御方法。
【請求項５】
前記送信ステップでは、前記再生ステップにより再生された映像データの再生範囲を示す再生範囲情報を前記サーバに送信する請求項４に記載の制御方法。
【請求項６】
自装置の識別情報を取得する識別情報取得ステップを、更に実行し、
前記送信ステップでは、前記識別情報を前記サーバに送信し、
前記受信ステップでは、結果情報を前記サーバから受信し、
前記再生ステップでは、前記受信した結果情報が前記映像データの再生を許可することを示す情報を含む場合、前記受信した映像データを再生する請求項４又は５に記載の制御方法。
【請求項７】
情報処理装置に、
サーバから映像データを受信する受信ステップと、
前記受信した映像データを再生して、表示部に映像を表示する再生ステップと、
前記再生ステップにより再生された映像データの映像名称及び前記再生ステップにより再生された映像データの再生時間を示す再生時間情報を前記サーバに送信する送信ステップと、を実行させる制御プログラム。
【請求項８】
前記送信ステップでは、前記再生ステップにより再生された映像データの再生範囲を示す再生範囲情報を前記サーバに送信する請求項７に記載の制御プログラム。
【請求項９】
自装置の識別情報を取得する識別情報取得ステップを、更に実行させ、
前記送信ステップでは、前記識別情報を前記サーバに送信し、
前記受信ステップでは、結果情報を前記サーバから受信し、
前記再生ステップでは、前記受信した結果情報が前記映像データの再生を許可することを示す情報を含む場合、前記受信した映像データを再生する請求項７又は８に記載の制御プログラム。
【発明の詳細な説明】
【技術分野】
【０００１】
本開示は、映像データや音声データを再生する技術に関する。
【背景技術】
【０００２】
近年、パーソナルコンピュータ等の情報機器は、ＤＶＤ（Digital Versatile Disk）等の記録媒体に記録された映像データや音声データを再生する機能とともに、インターネットに接続可能な機能を備えるものが一般的となった。そして、未公開映画のコマーシャル映像等の映像情報を記録した記録媒体の生産も一般的となった。
【０００３】
映像データや音声データを再生する機能を備える情報機器により、記録媒体に記録された映像情報を再生することで、ユーザは、映像情報を視聴することが可能である。
【特許文献１】特表２００５−５３０２９４号公報
【特許文献２】特開２００６−３３８７３号公報
【発明の開示】
【発明が解決しようとする課題】
【０００４】
従来、映像情報の提供元は、映像情報を記録した記録媒体をユーザに提供していたが、映像情報を視聴したユーザの反響を知るためには、アンケート調査等による市場調査が必要であった。本開示は、映像情報を視聴するユーザの視聴状況を簡易に知るための技術の提供を目的とする。
【課題を解決するための手段】
【０００５】
上記課題を解決するために、以下の手段を採用する。すなわち、本開示の情報処理装置は、サーバから映像データを受信する受信部と、受信した映像データを再生して、表示部に映像を表示する再生部と、再生部が再生した映像データの映像名称及び再生部が再生した映像データの再生時間を示す再生時間情報をサーバに送信する送信部と、を備える。
【０００６】
本開示の情報処理装置は、再生部によって再生された映像データについての映像名称及び再生部によって再生された映像データの再生時間を示す再生時間情報が、サーバに送信される。そのため、映像データを提供する提供元は、再生部によって再生された映像データについての映像名称及び再生部によって再生された映像データの再生時間を示す再生時間情報を取得することが可能となる。その結果、映像データを提供する提供元は、表示部に表示される映像を視聴するユーザの視聴状況を知ることができる。
【０００７】
また、本開示は、コンピュータその他の装置、機械等が上記いずれかの処理を実行する方法を採用してもよい。本開示は、コンピュータその他の装置、機械等に、上記のいずれかの機能を実現させるプログラムを採用してもよい。本開示は、そのようなプログラムをコンピュータ等が読み取り可能な記録媒体に記録したものを採用してもよい。
【発明の効果】
【０００８】
本開示によれば、映像情報を視聴するユーザの視聴状況を簡易に知ることが可能となる。
【発明を実施するための最良の形態】
【０００９】
以下、図面に基づいて、本発明を実施するための最良の形態（以下、実施形態という）に係るシステムについて説明する。以下の実施形態の構成は例示であり、本開示は実施形態の構成には限定されない。
【００１０】
図１は、本実施形態のシステム構成を示すブロック図である。本システムは、端末装置１、配信サーバ２Ａ、２Ｂ及び２Ｃを有している。図１は例示であって、端末装置１、配信サーバ２Ａ、２Ｂ及び２Ｃの台数はこれらに限定されるものではない。
【００１１】
端末装置１は、例えば、パーソナルコンピュータ、Personal Digital Assistant（ＰＤＡ）、携帯電話、Consumer Electronics（ＣＥ）機器など、ネットワーク３に接続可能な情報処理装置である。
【００１２】
配信サーバ２Ａ、２Ｂ及び２Ｃは、例えば、パーソナルコンピュータやワークステーション、メインフレーム等のネットワーク３に接続可能な情報管理装置である。配信サーバ２Ａ、２Ｂ及び２Ｃには、端末装置１に対して所定の情報を提供するＷｅｂサイトが開設されている。
【００１３】
ネットワーク３は、例えば、インターネットやローカルエリアネットワーク（ＬＡＮ）である。また、電話線、専用線、光通信網、通信衛生などの通信回線によりネットワーク３を構成することもできる。
【００１４】
端末装置１と配信サーバ２Ａとは、ネットワーク３を介して、相互に情報交換が行われる。端末装置１と配信サーバ２Ｂとは、ネットワーク３を介して、相互に情報交換が行われる。端末装置１と配信サーバ２Ｃとは、ネットワーク３を介して、相互に情報交換が行われる。
【００１５】
端末装置１は、ネットワーク３を介して、配信サーバ２Ａ、２Ｂ及び２Ｃに対して接続を行うとともに、配信サーバ２Ａ、２Ｂ及び２Ｃが開設するＷｅｂサイトにアクセスを行うことが可能である。
【００１６】
図２は、端末装置１をパーソナルコンピュータとして実現した場合の端末装置１のハードウェア構成を示した図である。
【００１７】
端末装置１は、ＣＰＵ（Central Processing Unit）１１、ＲＯＭ（Read Only Memory
）１２、ＲＡＭ（Random Access Memory）１３、ハードディスク駆動装置１４、記録媒体駆動装置１５、入力装置１６、表示装置１７及びインターフェース装置１８を有している。これらは、相互にバスを介して接続されている。
【００１８】
ＣＰＵ１１は、ＲＯＭ１２に記憶されているプログラムに従って各種の処理を実行する。ＣＰＵ１１は、インターフェース装置１８を介して配信サーバ２Ａ、２Ｂ及び２Ｃと通信回線を確立する。インターフェース装置１８は、例えば、モデム、ターミナルアダプタ等の通信装置を備えており、配信サーバ２Ａ、２Ｂ及び２Ｃとの通信の制御を行う。
【００１９】
ＲＯＭ１２は、ＣＰＵ１１が各種の処理を実行するためのプログラムやパラメータ等が格納されている。ＲＯＭ１２は、例えば、配信サーバ２Ａ、２Ｂ及び２Ｃとの通信を確立・維持するための通信プログラムが格納されている。
【００２０】
ＲＡＭ１３は、ＣＰＵ１１の動作上必要なデータや、ＣＰＵ１１が実行するアプリケーションのプログラムなどを一時的に記憶する。
【００２１】
ハードディスク駆動装置１４は、ハードディスク（図示せず）に対する書き込みや読み出しを行う。ハードディスクには、ＲＡＭ１３にロードされるプログラムが記憶される。また、ハードディスクには、ＣＰＵ１１で処理されるデータが記憶される。
【００２２】
記録媒体駆動装置１５は、記録媒体を駆動するための装置である。記録媒体は、例えば、ＣＤ（Compact Disc）、ＤＶＤ、ＨＤ−ＤＶＤ、ブルーレイディスク、フラッシュメモリ等である。また、記録媒体駆動装置１５は、フラッシュメモリ等の不揮発性メモリを有するカード媒体の入出力装置であってもよい。
【００２３】
入力装置１６は、所定のコマンドや必要なデータを入力するときなどに操作される。入力装置１６は、例えば、キーボード、マウス、ポインティングデバイス、ワイヤレスリモコン等である。
【００２４】
表示装置１７は、ＣＰＵ１１で処理されるデータやＲＡＭ１３に記憶されるデータを表示する。記録媒体から読み出された映像データが、ＣＰＵ１１やＲＡＭ１３等で処理され、表示装置１７に表示される。また、配信サーバ２Ａ、２Ｂ及び２Ｃから受信した映像データが、ＣＰＵ１１やＲＡＭ１３等で処理され、表示装置１７に表示される。表示装置１７は、例えば、液晶表示装置、プラズマディスプレイパネル、ＣＲＴ（Cathode Ray Tube）、エレクトロルミネッセンスパネル等である。
【００２５】
端末装置１は、配信サーバ２Ａ、２Ｂ及び２Ｃから映像データを取得する。映像データは、音声データを含む。また、映像は、動画像及び静止画像を含む。端末装置１は、ネットワーク３を介して、配信サーバ２Ａ、２Ｂ及び２Ｃから映像データを取得してもよい。
【００２６】
また、映像データが記録された記録媒体を端末装置１が備える記録媒体駆動装置１５に装着することにより、端末装置１は記録媒体から映像データを取得してもよい。配信サーバ２Ａ、２Ｂ及び２Ｃが記録媒体に映像データを直接記録してもよいし、配信サーバ２Ａ、２Ｂ及び２Ｃが提供する映像データを他の方法によって記録してもよい。映像データが記録された記録媒体は、販売や配布等の譲渡によって、配信サーバ２Ａ、２Ｂ及び２Ｃから端末装置１に移動してもよい。
【００２７】
記録媒体に記録された映像データが、端末装置１によって再生されることにより、端末装置１のユーザは映像を視聴することが可能となる。また、配信サーバ２Ａ、２Ｂ及び２Ｃから配信される映像データが、端末装置１によって再生されることにより、端末装置１のユーザは映像を視聴することが可能となる。
【００２８】
図３は、端末装置１の機能ブロック図である。端末装置１は、接続部２１、送信部２２、受信部２３、表示制御部２４、再生部２５、識別情報取得部２６及び記録部２７を備える。これらの各機能部は、ＣＰＵ１１、ＲＯＭ１２及びＲＡＭ１３等を含むコンピュータ、各装置及びコンピュータ上で実行されるプログラム等によって実現することができる。
【００２９】
ＲＯＭ１２に格納されたブラウザがＣＰＵ１１及びＲＡＭ１３等で実行されることにより、接続部２１としての機能が実現されてもよい。ＲＯＭ１２に格納された通信プログラムがＣＰＵ１１及びＲＡＭ１３等で実行されることにより、送信部２２及び受信部２３としての機能が実現されてもよい。ＲＯＭ１２に格納された映像再生アプリケーションがＣＰＵ１１及びＲＡＭ１３等で実行されることにより、表示制御部２４、再生部２５及び識別情報取得部２６としての機能が実現されてもよい。
【００３０】
また、接続部２１、送信部２２、受信部２３、表示制御部２４、再生部２５及び識別情報取得部２６を、専用プロセッサとして実現してもよい。
【００３１】
接続部２１は、端末装置１をネットワーク３に接続する。送信部２２は、ネットワーク３を介して、各種情報及び各種データを配信サーバ２Ａ、２Ｂ及び２Ｃに送信する。受信
部２３は、ネットワーク３を介して、各種情報及び各種データを配信サーバ２Ａ、２Ｂ及び２Ｃから受信する。
【００３２】
表示制御部２４は、表示装置１７に警告画面、提供元選択画面、通常映像選択画面、特典映像選択画面及び特定製品確認画面を表示する。再生部２５は、通常映像データを再生することにより、表示装置１７に通常映像を表示する。また、再生部２５は、特典映像データを再生することにより、表示装置１７に特典映像を表示する。識別情報取得部２６は、端末装置１の識別情報を取得する。記録部２７は、各種情報及び各種データが記録される。
【００３３】
＜処理フロー＞
図４から図６を参照して、端末装置１、配信サーバ２Ａ、２Ｂ及び２Ｃの処理について説明する。図４から図６は、端末装置１、配信サーバ２Ａ、２Ｂ及び２Ｃの処理の流れを示すフロー図である。
【００３４】
図４から図６に示す処理は、通常映像データ及び映像データに関する情報が記録された記録媒体を、記録媒体駆動装置１５に装着することを前提とする。映像データに関する情報とは、例えば、警告画面、提供元選択画面、通常映像選択画面、特典映像選択画面及び特定製品確認画面を表示装置１７に表示するための情報である。また、図４から図６に示す処理は、例えば、再生部２５が起動された場合に実行される。
【００３５】
再生部２５は、接続部２１に問い合わせを行うことにより、端末装置１がネットワーク３に接続されているか否かを判定する（Ｓ４０１）。
【００３６】
端末装置１がネットワーク３に接続されていない場合（Ｓ４０１の処理でＮＯ）、表示制御部２４は、表示装置１７に警告画面を表示する（Ｓ４０２）。例えば、端末装置１がネットワーク３に接続されていない場合、表示制御部２４は、図７に示す警告画面を表示装置１７に表示する。
【００３７】
図７は、表示装置１７に表示される警告画面の一例を示す図である。ユーザは、図７に示す警告画面を確認することにより、端末装置１がネットワーク３に接続されていないことを認識することができる。ユーザは、入力装置１６を介して、端末装置１をネットワーク３に接続する操作を行うことが可能である。入力装置１６を介して、ユーザから端末装置１のネットワーク接続の操作を受け付けた場合、接続部２１は、端末装置１をネットワーク３に接続する。
【００３８】
図４の説明に戻る。再生部２５は、ユーザから通常映像再生の指示を受け付けたか否かを判定する（Ｓ４０３）。入力装置１６を介して、図７に示す警告画面のＯＫが選択された場合、再生部２５は、ユーザから通常映像再生の指示を受け付けたと判定してもよい。入力装置１６を介して、図７に示す警告画面のＮＯが選択された場合、再生部２５は、ユーザから通常映像再生の指示を受け付けつけていないと判定してもよい。
【００３９】
図４の説明に戻る。再生部２５は、ユーザから通常映像再生の指示を受け付けたと判定した場合（Ｓ４０３の処理でＹＥＳ）、表示制御部２４は、表示装置１７に提供元選択画面を表示する（Ｓ４０４）。例えば、表示制御部２４は、図８に示すメインメニュー画面を表示装置１７に表示する。
【００４０】
図８は、表示装置１７に表示されるメインメニュー画面の一例を示す図である。図８に示すように、メインメニュー画面には、入力装置１６により選択可能な「Ａ会社の映画情報」、「Ｂ会社の映画情報」及び「Ｃ会社の映画情報」の項目が表示される。
【００４１】
ここでは、配信サーバ２Ａの運営をＡ会社が行い、配信サーバ２Ｂの運営をＢ会社が行い、配信サーバ２Ｃの運営をＣ会社が行うものとする。ただし、これは例示であって、Ａ会社、Ｂ会社及びＣ会社は、配信サーバ２Ａ、２Ｂ及び２Ｃの運営を他の会社に委託してもよい。
【００４２】
ユーザは、入力装置１６を介して、図８に示すメインメニュー画面の「Ａ会社の映画情報」、「Ｂ会社の映画情報」及び「Ｃ会社の映画情報」の項目のいずれかを選択する。ユーザは、Ａ会社の映画情報の視聴を所望する場合、入力装置１６を介して、図８に示すメインメニュー画面の「Ａ会社の映画情報」の項目を選択する。
【００４３】
図８に示すメインメニュー画面の「Ａ会社の映画情報」の項目が選択された場合、表示制御部２４は、通常映像選択画面を表示装置１７に表示する。例えば、表示制御部２４は、図９に示すタイトルメニュー画面を表示装置１７に表示する。
【００４４】
図９は、表示装置１７に表示されるタイトルメニュー画面の一例を示す図である。図９に示すように、タイトルメニュー画面には、入力装置１６により選択可能な「映画タイトル“１”」、「映画タイトル“２”」、「映画タイトル“３”」及び「映画タイトル“４”」の項目が表示される。タイトルメニュー画面に表示される映画タイトルの項目は、Ａ会社が提供する映画の名称である。ここでは、映画タイトル“１”、映画タイトル“２”、映画タイトル“３”及び映画タイトル“４”の映像データが、通常映像データである。
【００４５】
ユーザは、入力装置１６を介して、図９に示すタイトルメニュー画面の「映画タイトル“１”」、「映画タイトル“２”」、「映画タイトル“３”」及び「映画タイトル“４”」の項目のいずれかを選択する。ユーザは、図９に示すタイトルメニュー画面の映画タイトル“１”の映像の視聴を所望する場合、入力装置１６を介して、図９に示すタイトルメニュー画面の「映画タイトル“１”」の項目を選択する。
【００４６】
図９に示す「映画タイトル“１”」の項目が選択された場合、再生部２５は、映画タイトル“１”の映像データの再生を行う。再生部２５による映画タイトル“１”の映像データの再生により、表示装置１７には映画タイトル“１”に関しての映像が表示される。ユーザによる通常映像の視聴が終了すると、図４から図６に示す処理は終了する。
【００４７】
一方、再生部２５により、ユーザから通常映像再生の指示を受け付けていないと判定された場合（Ｓ４０３の処理でＮＯ）、端末装置１の制御はＳ４０１の処理に進む。
【００４８】
端末装置１がネットワーク３に接続されている場合（Ｓ４０１の処理でＹＥＳ）、表示制御部２４は、表示装置１７に提供元選択画面を表示する（Ｓ４０５）。例えば、表示制御部２４は、図８に示すメインメニュー画面を表示装置１７に表示する。
【００４９】
ユーザは、入力装置１６を介して、図８に示すメインメニュー画面の「Ａ会社の映画情報」、「Ｂ会社の映画情報」及び「Ｃ会社の映画情報」の項目のいずれかを選択する。ユーザは、Ａ会社の映画情報の視聴を所望する場合、図８に示すメインメニュー画面の「Ａ会社の映画情報」の項目を選択する。
【００５０】
図４の説明に戻る。表示制御部２４は、表示装置１７に、選択された提供元に関する特典映像選択画面を表示する（Ｓ４０６）。例えば、図８に示すメインメニュー画面の「Ａ会社の映画情報」の項目が選択された場合、表示制御部２４は、図１０に示すタイトルメニュー画面を表示装置１７に表示する。
【００５１】
図１０は、表示装置１７に表示されるタイトルメニュー画面の一例を示す図である。図１０に示すように、タイトルメニュー画面には、入力装置１６により選択可能な「映画タイトル“１”」、「映画タイトル“２”」、「映画タイトル“３”」、「映画タイトル“４”」、「特典映像“Ａ”」及び「特典映像“Ｂ”」の項目が表示される。図１０に示すタイトルメニュー画面に表示される映画タイトルの項目は、Ａ会社が提供する映画の名称である。図１０に示すタイトルメニュー画面に表示される特典映像の項目は、Ａ会社が提供する特典映像の名称（タイトル）である。
【００５２】
図４の説明に戻る。再生部２５は、特典映像選択画面の特典映像の項目が選択されているか否かを判定する（Ｓ４０７）。例えば、図１０に示すタイトルメニュー画面の「特典映像“Ａ”」又は「特典映像“Ｂ”」の項目が選択された場合、再生部２５は、特典映像選択画面の特典映像の項目が選択されていると判定してもよい。また、例えば、図１０に示すタイトルメニュー画面の「映画タイトル“１”」、「映画タイトル“２”」、「映画タイトル“３”」、「映画タイトル“４”」の項目のいずれかが選択された場合、再生部２５は、特典映像選択画面の特典映像の項目が選択されていないと判定してもよい。
【００５３】
図４の説明に戻る。特典映像選択画面の特典映像の項目が選択されていない場合（Ｓ４０７の処理でＮＯ）、再生部２５は、通常映像データの再生を行う（Ｓ４０８）。
【００５４】
例えば、図１０に示すタイトルメニュー画面の「映画タイトル“１”」の項目が選択された場合、再生部２５は、映画タイトル“１”の映像データの再生を行う。再生部２５による映画タイトル“１”の映像データの再生により、表示装置１７には映画タイトル“１”に関しての映像が表示される。再生部２５による通常映像データの再生が終了した場合、端末装置１の制御はＳ４０５の処理に進む（図４の（Ａ）参照）。
【００５５】
一方、特典映像選択画面の特典映像の項目が選択されている場合（Ｓ４０７の処理でＹＥＳ）、表示制御部２４は、表示装置１７に特定製品確認画面を表示する（Ｓ４０９、図４及び図５の（Ｂ）参照）。特定製品確認画面には、端末装置１の識別情報を配信サーバ２Ａに送信することの同意に関する確認事項が表示されている。
【００５６】
例えば、図１０に示すタイトルメニュー画面の「タイトルメニュー画面の「特典映像“Ａ”」の項目が選択された場合、表示制御部２４は、表示装置１７に図１１に示す特定製品確認画面を表示する。
【００５７】
図１１は、表示装置１７に表示される特定製品確認画面の一例を示す図である。ユーザは、図１１に示す特定製品確認画面を視認することにより、端末装置１が特定製品であれば、特典映像の視聴が可能であることを認識する。
【００５８】
ユーザは、端末装置１の識別情報を配信サーバ２Ａに送信することに同意する場合、入力装置１６を介して、図１１に示す特定製品確認画面の同意を選択する。ユーザは、端末装置１の識別情報を配信サーバ２Ａに送信することに同意しない場合、入力装置１６を介して、図１１に示す特定製品確認画面の不同意を選択する。
【００５９】
図５の説明に戻る。入力装置１６を介して、図１１に示す特定製品確認画面の同意が選択された場合、識別情報取得部２６は、端末装置１の識別情報を取得する（Ｓ４１０）。なお、入力装置１６を介して、図１１に示す特定製品確認画面の不同意が選択された場合、端末装置１の制御は図４のＳ４０５に進む。
【００６０】
ここで、識別情報取得部２６による端末装置１の識別情報の取得処理を説明する。まず、識別情報取得部２６は、ＲＯＭ１２に格納されているＢＩＯＳ（Basic Input Output S
ystem）の情報を取り出す。識別情報取得部２６は、ＲＯＭ１２から取り出したＢＩＯＳ
の情報から端末装置１の識別情報を抽出する。例えば、端末装置１の識別情報は、端末装置１の製造会社の名前、シリアル番号及び装置番号等である。端末装置１の識別情報は、端末装置１の製造会社によって登録された情報である。また、端末装置１の識別情報の書き換えは、端末装置１の製造会社のみが行うことが可能である。
【００６１】
図５の説明に戻る。送信部２２は、ネットワーク３を介して、端末装置１の識別情報を配信サーバ２Ａに送信する（Ｓ４１１）。
【００６２】
配信サーバ２Ａは、ネットワーク３を介して、端末装置１の識別情報を端末装置１から受信する。配信サーバ２Ａは、端末装置１の識別情報が配信サーバ２の登録部に登録されているかを判定する（Ｓ４１２）。配信サーバ２Ａの登録部は、例えば、配信サーバ２Ａが備えるＲＡＭ及びＲＯＭ等である。
【００６３】
端末装置１の識別情報が配信サーバ２Ａの登録部に登録されていない場合（Ｓ４１２の処理でＮＯ）、配信サーバ２Ａは、ネットワーク３を介して、再生不許可情報を含む結果情報を端末装置１に送信する（Ｓ４１３）。再生不許可情報は、特典映像データの再生を許可しないことを示す情報である。
【００６４】
ネットワーク３を介して、受信部２３は再生不許可情報を含む結果情報を配信サーバ２Ａから受信する。受信部２３が再生不許可情報を含む結果情報を受信した場合、表示制御部２４は、表示装置１７に警告画面を表示する（Ｓ４１４）。受信部２３が再生不許可情報を含む結果情報を受信した場合、再生部２５は、特典映像の再生を行わない。
【００６５】
例えば、受信部２３が再生不許可情報を含む結果情報を受信した場合、表示制御部２４は、図１２に示す警告画面を表示装置１７に表示する。図１２は、表示装置１７に表示される警告画面の一例を示す図である。
【００６６】
ユーザは、図１２に示す警告画面を確認することにより、特典映像の視聴ができないことを認識することができる。特定の機器に対して特典映像の視聴を許可することにより、不特定の機器からの配信サーバ２Ａへのアクセスを抑制することが可能となる。
【００６７】
図５の説明に戻る。表示制御部２４は、表示装置１７に通常映像選択画面を表示する（Ｓ４１５）。例えば、表示制御部２４は、図９に示すタイトルメニュー画面を表示装置１７に表示する。
【００６８】
ユーザは、入力装置１６を介して、図９に示すタイトルメニュー画面の「映画タイトル“１”」、「映画タイトル“２”」、「映画タイトル“３”」及び「映画タイトル“４”」の項目のいずれかを選択する。ユーザは、映画タイトル“１”の映像の視聴を所望する場合、図９に示すタイトルメニュー画面の「映画タイトル“１”」の項目を選択する。図９に示すタイトルメニュー画面の「映画タイトル“１”」の項目が選択された場合、再生部２５は、映画タイトル“１”の映像データの再生を行う。再生部２５による映画タイトル“１”の映像の再生により、表示装置１７には映画タイトル“１”に関しての映像が表示される。
【００６９】
再生部２５による通常映像データの再生が終了した場合、端末装置１の制御はＳ４０５の処理に進む（図４及び図５の（Ａ）参照）。
【００７０】
一方、端末装置１の識別情報が配信サーバ２Ａの登録部に登録されている場合（Ｓ４１２の処理でＹＥＳ）、配信サーバ２Ａは、ネットワーク３を介して、再生許可情報を含む
結果情報を端末装置１に送る（Ｓ４１６、図５及び図６の（Ｃ）参照）。再生許可情報は、特典映像データの再生を許可することを示す情報である。
【００７１】
ネットワーク３を介して、受信部２３は再生許可情報を含む結果情報を配信サーバ２Ａから受信する。受信部２３が再生許可情報を含む結果情報を受信した場合、再生部２５は、特典映像データの再生を行う（Ｓ４１７）。具体的には、ネットワーク３を介して、配信サーバ２Ａから特典映像データを受信部２３が受信することにより、再生部２５は、特典映像データの再生を行う。再生部２５は、特典映像データのストリーム再生を行ってもよい。
【００７２】
図１０に示すタイトルメニュー画面の「特典映像“Ａ”」の項目が選択されている場合、再生部２５は、特典映像“Ａ”の特典映像データの再生を行う。再生部２５による特典映像“Ａ”の特典映像データの再生により、表示装置１７には特典映像“Ａ”に関しての映像が表示される。
【００７３】
図６の説明に戻る。再生部２５は、特典映像データの再生が終了したか否かを判定する（Ｓ４１８）。特典映像データの再生が終了していない場合（Ｓ４１８の処理でＮＯ）、再生部２５は、Ｓ４１８の処理を繰り返す。
【００７４】
一方、特典映像データの再生が終了している場合（Ｓ４１８の処理でＹＥＳ）、再生部２５は、再生が行われた特典映像データについての映像名称（タイトル）の情報を記録部２７に記録する。また、再生部２５は、再生が行われた特典映像データの再生時間及び再生範囲の各情報を記録部２７に記録する（Ｓ４１９）。
【００７５】
再生時間は、特典映像データの再生を開始した時点から特典データの再生を終了した時点までの経過時間である。例えば、特典映像データの最初から再生を開始し、特典映像データの途中で再生を終了した場合、特典映像データの再生時間は特典映像データの総時間よりも短くなる。再生範囲とは、特典映像データの再生を開始した時点における特典映像データの位置から、特典映像データの再生を終了した時点における特典映像データの位置までをいう。すなわち、再生範囲は、端末装置１のユーザが視聴した特典映像の視聴部分に対応する特典映像データの再生部分である。
【００７６】
送信部２２は、ネットワーク３を介して、記録部２７に記録された特典映像データについての映像名称、特典映像データの再生時間及び再生範囲の各情報を配信サーバ２Ａに送信する（Ｓ４２０）。配信サーバ２Ａは、ネットワーク３を介して、端末装置１から特典映像データについての映像名称、特典映像データの再生時間及び再生範囲の各情報を受信する。
【００７７】
次に、再生部２５は、特典映像データの再生時間が所定時間以上であるか否かを判定する（Ｓ４２１）。特典映像データの再生時間が所定時間以上である場合（Ｓ４２１の処理でＹＥＳ）、再生部２５は、付加映像データの再生を行う（Ｓ４２２）。具体的には、ネットワーク３を介して、配信サーバ２Ａから付加映像データを受信部２３が受信することにより、再生部２５は、付加映像データの再生を行う。再生部２５は、付加映像データのストリーム再生を行ってもよい。再生部２５による付加映像データの再生により、表示装置１７には付加映像が表示される。付加映像は、更なる特典映像であってもよい。
【００７８】
配信サーバ２Ａは、特典映像データの再生時間に応じた付加映像データを端末装置１に送信するようにしてもよい。例えば、配信サーバ２Ａは、特典映像データの再生時間が短い場合と長い場合とで異なる内容の付加映像データを、端末装置１に送信するようにしてもよい。
【００７９】
図６のＳ４２２の処理において、付加映像データの再生が終了した場合、端末装置１の制御は、Ｓ４０５の処理に進む（図４及び図６の（Ａ）参照）。また、特典映像データの再生時間が所定時間未満である場合（Ｓ４２１の処理でＮＯ）、端末装置１の制御は、Ｓ４０５の処理に進む（図４及び図６の（Ａ）参照）。
【００８０】
図４から図１２では、端末装置１と配信サーバ２Ａとの間の処理について説明した。端末装置１と配信サーバ２Ｂ及び２Ｃとの間の処理も、端末装置１と配信サーバ２Ａとの間の処理と同様に行うことが可能である。
【００８１】
配信サーバ２Ａ、２Ｂ及び２Ｃは、再生が行われた特典映像データについての映像名称の情報を端末装置１から受信する。そのため、特典映像の提供元は、端末装置１のユーザがどのような種類の特典映像に興味を持ったかを把握することが可能となる。
【００８２】
また、配信サーバ２Ａ、２Ｂ及び２Ｃは、再生が行われた特典映像データについての映像名称の情報を複数の情報機器から受信することが可能である。これにより、特典映像の提供元は、特典映像の視聴者がどのような種類の特典映像に興味を持ったかを統計的に把握することが可能となる。
【００８３】
配信サーバ２Ａ、２Ｂ及び２Ｃは、再生が行われた特典映像データについての映像名称及び特典映像データの再生時間の各情報を、端末装置１から受信する。そのため、特典映像の提供元は、端末装置１のユーザが特典映像にどのくらい興味を持ち続けているかを把握することができる。
【００８４】
また、配信サーバ２Ａ、２Ｂ及び２Ｃは、再生が行われた特典映像データについての映像名称及び特典映像データの再生時間の各情報を、複数の情報機器から受信することが可能である。これにより、特典映像の提供元は、特典映像の視聴者が特典映像にどのくらい興味を持ち続けているかを統計的に把握することができる。
【００８５】
配信サーバ２Ａ、２Ｂ及び２Ｃは、再生が行われた特典映像データについての映像名称及び特典映像データの再生範囲の各情報を、端末装置１から受信する。そのため、特典映像の提供元は、端末装置１のユーザが特典映像のどのシーンに興味を持ったかを把握することができる。
【００８６】
また、配信サーバ２Ａ、２Ｂ及び２Ｃは、再生が行われた特典映像データについての映像名称及び特典映像データの再生範囲の各情報を、複数の情報機器から受信することが可能である。これにより、特典映像の提供元は、特典映像の視聴者が特典映像のどのシーンに興味を持ったかを統計的に把握することができる。
【００８７】
配信サーバ２Ａ、２Ｂ及び２Ｃは、再生が行われた特典映像データについての映像名称、特典データの再生時間及び再生範囲の各情報を、端末装置１から受信する。そのため、特典映像の提供元は、端末装置１のユーザが興味を持った映像シーンのインパクトを把握することが可能となる。すなわち、特典映像の提供元は、端末装置１のユーザが特典映像のどのシーンにどのくらい興味を持ち続けているかを把握することができる。
【００８８】
また、配信サーバ２Ａ、２Ｂ及び２Ｃは、再生が行われた特典映像データについて映像名称、特典データの再生時間及び再生範囲の各情報を、複数の情報機器から受信することが可能である。これにより、特典映像の提供元は、特典映像の視聴者が興味を持った映像シーンのインパクトを統計的に把握することが可能となる。すなわち、特典映像の提供元は、視聴者が特典映像のどのシーンにどのくらい興味を持ち続けているかを統計的に把握
することができる。
【００８９】
このように、特典映像の提供元は、アンケート調査等による視聴状況の把握よりも信頼性の高いデータを、簡易なシステムを用いて取得することが可能である。また、端末装置１のユーザは特典映像を視聴することが可能であり、特典映像の提供元及び特典映像の視聴者の双方ともに有益な情報を得ることができる。
【００９０】
本実施形態では、特典映像を再生する場合の例を説明したが、これに限らず、音楽や音声等を再生する場合にも本実施形態を適用することが可能である。
【００９１】
本実施形態では、端末装置１の識別情報が配信サーバ２Ａの登録部に登録されている場合、特典映像データの再生が行われる例を説明した。しかし、これに限定されず、端末装置１の識別情報が配信サーバ２Ａの登録部に登録されているか否かにかかわらず、特典映像データの再生が行われるようにしてもよい。
【００９２】
本実施形態では、配信サーバ２Ａから特典映像データを受信部２３が受信し、特典映像データを再生部２３が再生する例を示した。これに限らず、記録媒体に特典映像データを記録しておき、記録媒体に記録された特典映像データを再生部２３が再生してもよい。
【００９３】
例えば、図４から図６で説明した処理において、記録媒体駆動装置１５に装着する記録媒体を、通常映像データ、映像データに関する情報及び特典映像データが記録された記録媒体としてもよい。そして、図６のＳ４１７の処理において、再生部２３は、記録媒体から特典映像データを読み出すことにより、特典映像データの再生を行うようにしてもよい。この場合、受信部２３は、配信サーバ２Ａから特典映像データの受信を行わないようにすればよい。
【００９４】
＜変形例＞
上述の実施形態では、配信サーバ２Ａ、２Ｂ及び２Ｃは、ネットワーク３を介して、端末装置１の識別情報を端末装置１から受信する。また、上述の実施形態では、配信サーバ２Ａ、２Ｂ及び２Ｃは、ネットワーク３を介して、再生が行われた特典映像データについての映像名称の情報を端末装置１から受信する。本変形例では、以下のように上述の実施形態を変形してもよい。
【００９５】
すなわち、配信サーバ２Ａ、２Ｂ及び２Ｃは、端末装置１の識別情報と再生が行われた特典映像データについての映像名称とを関連付けて、配信サーバ２Ａ、２Ｂ及び２Ｃの登録部に登録するようにしてもよい。そして、配信サーバ２Ａ、２Ｂ及び２Ｃの登録部に登録された映像名称の映像データについて、端末装置１で再度の再生が行われることを抑止するようにしてもよい。
【００９６】
例えば、図５のＳ４１２の処理において、配信サーバ２Ａは、端末装置１の識別情報と再生が行われた特典映像データについての映像名称とが関連付けられて、配信サーバ２の登録部に登録されているかを更に判定するようにしてもよい。そして、端末装置１の識別情報と再生が行われた特典映像データについての映像名称とが関連付けられて、配信サーバ２の登録部に登録されている場合、配信サーバ２は、ネットワーク３を介して、再生不許可情報を含む結果情報を送信端末１に送るようにしてもよい。
【００９７】
更に、ネットワーク３を介して、受信部２３が再生不許可情報を含む結果情報を配信サーバ２から受信し、表示制御部２４が表示装置１７に警告画面を表示するようにしてもよい。この場合の警告画面には、特典映像の再度の視聴が不可であることを示すメッセージを表示するようにしておけばよい。ネットワーク３を介して、受信部２３が再生不許可情
報を含む結果情報を配信サーバ２から受信した場合、再生部２５は、特典映像データの再度の再生を行わないようにする。
【００９８】
本変形例によれば、端末装置１によって、同一の特典映像データの複数回の再生が行われることを抑止することができる。これにより、特典映像の提供元は、より信頼性の高いデータを取得することが可能である。
【００９９】
〈コンピュータ読み取り可能な記録媒体〉
コンピュータに上記いずれかの機能を実現させるプログラムをコンピュータが読み取り可能な記録媒体に記録することができる。そして、コンピュータに、この記録媒体のプログラムを読み込ませて実行させることにより、その機能を提供させることができる。ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。また、コンピュータに固定された記録媒体としてハードディスクやＲＯＭ等がある。
【図面の簡単な説明】
【０１００】
【図１】本実施形態のシステム構成を示すブロック図である。
【図２】端末装置１のハードウェア構成を示した図である。
【図３】端末装置１の機能ブロック図である。
【図４】端末装置１、配信サーバ２Ａ、２Ｂ及び２Ｃの処理の流れを示すフロー図である。
【図５】端末装置１、配信サーバ２Ａ、２Ｂ及び２Ｃの処理の流れを示すフロー図である。
【図６】端末装置１、配信サーバ２Ａ、２Ｂ及び２Ｃの処理の流れを示すフロー図である。
【図７】表示装置１７に表示される警告画面の一例を示す図である。
【図８】表示装置１７に表示されるメインメニュー画面の一例を示す図である。
【図９】表示装置１７に表示されるタイトルメニュー画面の一例を示す図である。
【図１０】表示装置１７に表示されるタイトルメニュー画面の一例を示す図である。
【図１１】表示装置１７に表示される特定製品確認画面の一例を示す図である。
【図１２】表示装置１７に表示される警告画面の一例を示す図である。
【符号の説明】
【０１０１】
１    端末装置
２Ａ、２Ｂ、２Ｃ  配信サーバ
３    ネットワーク
１１  ＣＰＵ（Central Processing Unit）
１２  ＲＯＭ（Read Only Memory）
１３  ＲＡＭ（Random Access Memory）
１４  ハードディスク駆動装置
１５  記録媒体駆動装置
１６  入力装置
１７  表示装置
１８  インターフェース装置
２１  接続部
２２  送信部
２３  受信部
２４  表示制御部
２５  再生部
２６  識別情報取得部
２７  記録部
【図１】
2010088044.tif 000003
【図２】
2010088044.tif 000004
【図３】
2010088044.tif 000005
【図４】
2010088044.tif 000006
【図５】
2010088044.tif 000007
【図６】
2010088044.tif 000008
【図７】
2010088044.tif 000009
【図８】
2010088044.tif 000010
【図９】
2010088044.tif 000011
【図１０】
2010088044.tif 000012
【図１１】
2010088044.tif 000013
【図１２】
2010088044.tif 000014